(57)【要約】【課題】鉛筆で、静電入力方式の入力装置へ入力が行えるようにし、多くの学童が使用できるよう、市場で安価に提供できるようにする。【解決手段】芯２と当該芯２を囲む軸体３とを備えた鉛筆１において、軸体３の側面３ａおよび後端部３ｂを導電性塗料層４ａ、４ｂで被覆する。軸体３０の側面３０ａを導電性塗料層４０ａで被覆すると共に、導電体６を、軸体３の後端部３０ｂに該軸体３０の側面３０ａを被覆した導電性塗料層４０ａに電気的に導通させた状態で装着する。【選択図】図１
2015016621.tif 000002
【特許請求の範囲】
【請求項１】
芯と当該芯を囲む軸体とを備えた鉛筆において、前記軸体の側面および後端部を導電性塗料層で被覆したことを特徴とする鉛筆。
【請求項２】
芯と当該芯を囲む軸体とを備えた鉛筆であって、前記軸体の側面を導電性塗料層で被覆すると共に、導電体を、前記軸体の後端部に該軸体の側面を被覆した導電性塗料層に電気的に導通させた状態で装着したことを特徴とする鉛筆。
【請求項３】
前記芯が、顔料を構成する可逆熱変色性組成物を賦形剤中に分散状態で保持させた芯であることを特徴とする請求項１または２に記載の鉛筆。
【請求項４】
低磨耗性の弾性材料からなる導電体を、前記軸体の後部に該軸体の側面を被覆した電性塗料層に電気的に導通させた状態で装着し、前記芯による筆跡を前記導電体で摩擦してその際に生じる摩擦熱で該筆跡を熱変色可能にしたことを特徴とする請求項３に記載の鉛筆。
【発明の詳細な説明】
【技術分野】
【０００１】
本発明は、芯と当該芯を囲む軸体とを備えた鉛筆に関する。
【背景技術】
【０００２】
鉛筆は、構造が単純であることから価格的に安く提供されており、特に小学生などの学童が授業において文字を書く場合にはかなりの比率で使用されており、学校の試験や公的資格の試験会場でも鉛筆の使用が指定されている場合が多く、電子化が進んだ現在でもその需要は高いものである。
【０００３】
一方、特許文献１に記載されているように、手で持って使用する薄形のタッチパネル形式の入力装置が市場で人気を得ており、静電入力方式の入力装置の入力画面に指先で触れて入力を行ったり、特許文献２で開示されているように、導電性ゴムで形成された入力部を前方に設けた入力ペンで、入力装置の入力画面を紙と同じように扱い、絵を描いたり文字を書いたりすることができる入力ペンの需要が高くなっている。
【０００４】
また近年、前述のタッチパネル形式の入力装置は、仕事や趣味での利用以外にも、学校における授業で、電子化した教科書のデータを入力装置の画面に表示させて利用することが考えられている。したがって、古くから使用されている鉛筆の付加価値を考えた場合、書き味の向上などの技術的な性能向上はあまり望めない状況にあるが、紙に筆記を行うという古くからの技術に対し、入力ペンで入力装置に入力を行うという新しい技術が広く普及されてきている現代にこそ、鉛筆の新しい付加価値が求められている。
【先行技術文献】
【特許文献】
【０００５】
【特許文献１】特開２０１１−８１８２５号公報
【特許文献２】特許第４１４２７７６号公報
【特許文献３】特開２００８−２９１０４８号公報
【特許文献４】特開２００９−１６６３１０号公報
【発明の概要】
【発明が解決しようとする課題】
【０００６】
本発明は、上記したような課題を解決するために案出されたものであり、鉛筆で、静電入力方式の入力装置へ入力が行えるようにし、多くの学童が使用できるよう、市場で安価に提供できるようにすることを目的としたものである。
【課題を解決するための手段】
【０００７】
本発明は、
「１．芯と当該芯を囲む軸体とを備えた鉛筆において、前記軸体の側面および後端部を導電性塗料層で被覆したことを特徴とする鉛筆。
２．芯と当該芯を囲む軸体とを備えた鉛筆であって、前記軸体の側面を導電性塗料層で被覆すると共に、導電体を、前記軸体の後端部に該軸体の側面を被覆した導電性塗料層に電気的に導通させた状態で装着したことを特徴とする鉛筆。
３．前記芯が、顔料を構成する可逆熱変色性組成物を賦形剤中に分散状態で保持させた芯であることを特徴とする前記１項または２項に記載の鉛筆。
４．低磨耗性の弾性材料からなる導電体を、前記軸体の後部に該軸体の側面を被覆した電性塗料層に電気的に導通させた状態で装着し、前記芯による筆跡を前記導電体で摩擦してその際に生じる摩擦熱で該筆跡を熱変色可能としたことを特徴とする前記３項に記載の鉛筆。」である。
【０００８】
本発明における鉛筆は、黒鉛と粘土を焼き固めて芯とした通常の黒鉛筆だけでなく、顔料を油成分で固めて芯とした色鉛筆も含まれる。また、軸体は、前端部を削って軸体内の芯を露出させることができるように、木材や樹脂材など切削性のよい材料で成形すればよい。あるいは紙を巻いて軸体を形成する紙巻鉛筆であってもよい。
尚、一般的な鉛筆で用いられている木材を軸体に使用すれば、特に安価なものを提供することが可能となり、また筆記時における書き心地が一般的な鉛筆と近いものにすることが可能となる。
【０００９】
導電性塗料層は、金属粉やカーボンブラックなどの導電性物質をアクリルやエポキシやウレタンなどのバインダーに混ぜ合わせた塗料を用いることができる。尚、軸体の側面を被覆する導電性塗料層は、軸体のどこを握っても使用者の指が導電性塗料層に触れることができるように、軸体の側面全体に被覆させたり、軸体の軸心に沿って線状や螺旋状に塗装して軸体の全長に渡り塗装することが肝要である。
また、軸体の後端部を導電性塗料層で被覆する場合には、軸体の側面を被覆する導電性塗料と電気的に導通させる必要があり、軸体の側面への塗装と同工程で塗装するようにすれば、製造上の作業性がよくなりコスト的なメリットが優れたものとなる。さらに、軸体の後端を導電性塗料層でドーム形状に形成することにより、入力ペンのように入力装置の入力画面への入力が行いやすいものとなる。
尚、導電性塗料層は導電性塗料を塗装する以外にも、金属からなる箔を軸体に転写させたものであってもよい。
【００１０】
軸体の後端部に装着する導電体は、樹脂に炭素繊維や金属繊維を混ぜ込んだ導電性樹脂で形成することが好ましく、特に、弾性を有したエラストマー樹脂に導電性繊維を混ぜ込んだ導電性エラストマーで成形することにより、導電体に弾力性が得られ、導電体を入力装置へ接触させた際の入力画面の傷つきを防止し、可逆熱変色性組成物を賦形剤中に分散状態で保持させた芯による筆跡を摩擦した場合には、摩擦熱で熱変色をさせることが可能なものとなる。
【発明の効果】
【００１１】
本発明による鉛筆は、軸体の側面を導電性塗料層で被覆すると共に、軸体の後端部に前記軸体の側面の導電性塗料層と電気的に導通する導電性塗料層あるいは導電体を設けたので、鉛筆として紙に筆記を行う以外にも、静電入力方式の入力装置の入力画面に入力を行うことができるものとなった。
【図面の簡単な説明】
【００１２】
【図１】図１は実施例１の鉛筆の全体説明図である。
【図２】図２は実施例１の鉛筆の横断面図である。
【図３】図３は実施例１の鉛筆で紙に筆記を行っている状態の図である。
【図４】図４は実施例１の鉛筆で静電容量方式の入力装置へ入力を行っている状態の図である。
【図５】図５は実施例２の鉛筆の全体説明図である。
【図６】図６は実施例２の鉛筆の横断面図である。
【図７】図７は実施例２の鉛筆の構成を示す図である。
【図８】図８は実施例２の鉛筆で紙に筆記を行っている状態の図である。
【図９】図９は実施例２の鉛筆で静電容量方式の入力装置へ入力を行っている状態の図である。
【図１０】図１０は実施例２の鉛筆で熱変色を行っている状態の図である。
【発明を実施するための形態】
【００１３】
次に図面を参照しながら、本発明の実施の形態の具体例（以下、実施例と記載する）を
説明するが、本発明は以下の実施例に限定されるものではない。
また、説明を分かりやすくするために、図面中の同様の部材、同様の部分については同じ番号を付してある。本実施例の説明においては、図面の下方を前方と表現し、その反対側を後方と表現する。
【００１４】
（実施例１）
図１から図４を用いて実施例１の説明を行う。
図１は実施例１の鉛筆の全体説明図であり、図２は横断面図である。実施例１の鉛筆１は、黒鉛と粘土を焼き固めた黒芯２を、木材で成形した断面が六角形状の軸体３で囲むようにして形成してある。本実施例では、軸体３の側面３ａと後端部３ｂとを導電性塗料で塗装してあり、側面３ａには導電性塗料層４ａを、後端部３ｂにはドーム状に形成した導電性塗料層４ｂを形成してある。また、図１に示すように、軸体３の前端部３ｃは先窄み状に削って芯先端部２ａを露出させ、筆記を行えるようにしてある。
【００１５】
次に、図３を用いて、本実施例の鉛筆１で、紙面に筆記する状態について説明を行う。図に示すように鉛筆１は、芯２の芯先端部２ａで紙１１０に文字１１０ａを書くことができた。
次に、図４を用いて、本実施例の鉛筆１で、静電容量方式の入力装置に入力する状態について説明を行う。図に示すように鉛筆１は、導電性塗料層４ｂを静電容量方式の入力装置１２０における入力画面１２０ａに接触させて摺動させると、使用者が把持した軸体３の側面３ａに設けた導電性塗料４ａと後端部に設けた導電性塗料４ｂとを通じて入力画面１２０ａに静電容量変化を生じさせ、画像作成ソフトウェアの画面に線１２０ｂを描くことができた。
【００１６】
（実施例２）
図５から図１０を用いて実施例２の説明を行う。
図５は実施例２の鉛筆の全体説明図であり、図６は横断面図であり、図７は実施例２の鉛筆の構成を示す図である。実施例２の鉛筆１０は、可逆熱変色性組成物をマイクロカプセルに封入した顔料を賦形材であるワックス中に分散させて形成した色芯２０を、木材で成形した断面が六角形状の軸体３０で囲み、軸体３０の側面３０ａに導電性塗料で塗装した導電性塗料層４０ａを形成してある。また、軸体３０の後端部３０ｂには真鍮製の筒体５０を嵌着してあり、筒体５０の開口部５０ａにはシリコン熱可塑性系エラストマーに炭素粉末を混練した導電性エラストマーによって形成した導電体６０を挿着して、導電性塗料層４０ａと導電体６０とが電気的に導通した状態に連接してある。また、図５に示すように、軸体３０の前端部３０ｃは先窄み状に削って芯先端部２０ａを露出させ、筆記を行えるようにしてある。
【００１７】
次に、図８を用いて、本実施例の鉛筆１０で、紙面に筆記する状態について説明を行う。図に示すように鉛筆１０は、芯２０の芯先端部２０ａで紙１１０に文字１１０ａを書くことができた。
次に、図９を用いて、本実施例の鉛筆１０で、静電容量方式の入力装置に入力する状態について説明を行う。図に示すように鉛筆１０は、導電体６０を静電容量方式の入力装置１２０における入力画面１２０ａに接触させて摺動させると、使用者が把持した軸体３０の側面３０ａに設けた導電性塗料４０ａと筒体５０と導電体６０とを通じて入力画面１２０ａに静電容量変化を生じさせ、画像作成ソフトウェアの画面に線１２０ｂを描くことができた。
【００１８】
また、本実施例の鉛筆１０の色芯２０による筆跡（図８に示す文字１１０ａ）は、特許文献３や特許文献４で開示されているように、摩擦熱で消色が可能になっており、図１０に示すように、導電性エラストマーによって形成した導電体６０により摩擦することで摩擦熱を生じさせ、消色することができた。
【符号の説明】
【００１９】
１，１０…鉛筆、
２…黒芯、２０…色芯、２ａ，２０ａ…芯先端部、
３，３０…軸体、
３ａ，３０ａ…側面、３ｂ，３０ｂ…後端部、３ｃ，３０ｃ…後端部、
４ａ，４０ａ…導電性塗料層、４ｂ…導電性塗料層、
５０…筒体、５０ａ…開口部、
６０…導電体、
１１０…紙、１１０ａ…文字、
１２０…入力装置、１２０ａ…入力画面、
１２０ｂ…線。
【図１】
2015016621.tif 000003
【図２】
2015016621.tif 000004
【図３】
2015016621.tif 000005
【図４】
2015016621.tif 000006
【図５】
2015016621.tif 000007
【図６】
2015016621.tif 000008
【図７】
2015016621.tif 000009
【図８】
2015016621.tif 000010
【図９】
2015016621.tif 000011
【図１０】
2015016621.tif 000012